(57)【特許請求の範囲】
【請求項１】
取付け位置から離れた位置にある被照明面を照明するための照明装置であって、光源部と、傾斜面を有し前記光源部からの出射光の配光を二次元的に制御するために面状に配置された複数のプリズムを含むプリズム形成面を有する配光制御部材とを備え、前記複数のプリズムは、複数の凹状のプリズムからなり、前記プリズム形成面は、前記複数の凹状のプリズムの谷部及び頂部のいずれか一方または両方に曲面を有しており、前記配光制御部材は、前記プリズム形成面が前記光源部の出射面に対向するように配置されることを特徴とする照明装置。
【請求項２】
取付け位置から離れた位置にある被照明面を照明するための照明装置であって、光源部と、傾斜面を有し前記光源部からの出射光の配光を二次元的に制御するために面状に配置された複数のプリズムを含むプリズム形成面を有する配光制御部材とを備え、前記複数のプリズムは、複数の凸状のプリズムからなり、前記プリズム形成面は、前記複数の凸状のプリズムの谷部または谷部及び頂部の両方に曲面を有しており、前記配光制御部材は、前記プリズム形成面が前記光源部の出射面に対向するように配置されることを特徴とする照明装置。
【請求項３】
前記プリズムは、四角錐状であることを特徴とする請求項１または２に記載の照明装置。
【請求項４】
請求項３に記載の照明装置からなる照明ユニットを複数個隣接させて配置したことを特徴とする照明装置。
【請求項５】
前記光源部は、導光板と、該導光板の側端面に配置された光源を含むことを特徴とする請求項１から４のいずれか１項に記載の照明装置。
【請求項６】
請求項１から５のいずれか１項に記載の照明装置が備える前記配光制御部材を作製する方法であって、
前記配向制御部材を成形するための金型を作製する工程を含んでおり、
前記金型を作製する工程は、
金型基材に、前記複数のプリズムの傾斜面に対応する傾斜面を形成する工程と、
前記金型基材に、前記複数のプリズムの谷部及び頂部のいずれか一方または両方の曲面に対応する曲面を形成する工程と、を含み、
前記傾斜面を形成する工程は、刃先に一対の傾斜面を有するバイトを用いて前記金型基材の表面を切削し、前記金型基材に、複数本の直線状の溝を、隣接する前記溝間に前記金型基材の表面を残さないように形成するステップを含むことを特徴とする方法。
【請求項７】
前記金型基材に傾斜面を形成する工程は、異なる２以上の方向に延びる前記複数の直線状の溝を形成するステップを含むことを特徴とする請求項６に記載の方法。
【請求項８】
前記バイトの刃先の先端で前記一対の傾斜面を連結する面は、曲面から構成されており、前記金型基材に曲面を形成する工程のうち、前記複数のプリズムの頂部の曲面に対応する曲面を形成するステップは、前記金型基材に傾斜面を形成する工程において、前記複数の直線状の溝の底部が曲面として形成されることにより実施されることを特徴とする請求項６または７に記載の方法。
【発明の詳細な説明】
【技術分野】
【０００１】
本発明は、被照明面上の照度の均一性を向上させることが可能な配光制御部材を用いた照明装置、及び、配光制御部材を成形するための金型の作製方法に関する。
【背景技術】
【０００２】
照明装置は、その発光面の正面の光度が最も大きく、正面からの角度が増すにつれて光度が減少するような配光特性を有するのが一般的である。そして、このような配光特性を有する照明装置では、照明装置から離れた位置にある被照明面（例えば、このような照明装置を室内照明として天井に取り付けて使用した場合には、床面）における照度は、照明装置の直下のみが大きく、周辺にいくにしたがって急激に減少するといった問題がある。従来、この問題を回避して被照明面上の比較的広い領域において均一な照度を達成するために、照明装置の配光特性を後述するバットウィング状とすることが知られている。
【０００３】
ここで、図９（ａ）は、室内空間１０６において、照明装置１００を天井１０２に取り付け、床面１０４を照らすようにした配置構成を示す図である。また、図９（ｂ）は、照明装置１００の配光特性の基準軸ｑを含む一平面（例えば、Ｐ０）内において、光軸ｑからの偏向角θに対する照明装置１００の光度の分布Ｌ１、Ｌ２を示すグラフである。
ここで、配光特性の基準軸ｑは、通常、発光面の正面方向の中心軸である。以下、この基準軸を光軸ともいい、光軸ｑからの偏向角θを配光角、この配光角θに対する光度の分布を、光度角分布ともいう。
【０００４】
図９（ｃ）は、図９（ｂ）に示す光度角分布Ｌ１、Ｌ２にそれぞれ対応する、床面１０４における照度の分布（以下、照度角分布という）Ｅ１、Ｅ２を示すグラフである。
図９（ｂ）、（ｃ）において、円周の周囲に示された数値（−９０〜９０）は配光角θを示すものであり、各配光角θにおける光度は、最も光度が大きくなる角度での値を１とする相対値で示され、照度は、それぞれ光軸ｑ上の（すなわち、θ＝０度における）照度を１とする相対値で示されている。
【０００５】
図９（ｂ）に示す光度角分布Ｌ２は、上述した一般的な配光特性に相当し、この場合、面状照明装置１００の光度は、θ＝０度の方向で最大となり、配光角θの絶対値が増大するにつれて減少する。この際、床面１０４における照度は、図９（ｃ）に示す対応する照度角分布Ｅ２から分かるように、（光度角分布Ｌ２が、−２５度〜２５度の範囲で比較的均一であるにもかかわらず）、配光角θの絶対値が増大するにつれて急激に減少する。
【０００６】
一方、床面１０４における照度を、図９（ｃ）に示す照度角分布Ｅ１のように比較的広い領域（例えば、−２５度〜２５度の範囲）で均一にしたい場合、照明装置１００の配光特性を、図９（ｂ）に示す光度角分布Ｌ１のように、θ＝０度の方向から、その領域に対応する配光角の上下限値（例えば、±２５度）の方向に向かって、光度が増大するような特性とする必要がある。この場合、光度角分布は、配光角θの上記上下限値にピーク値をとる２峰性の分布形状を有するものとなり、このような光度角分布を備えた配光特性を、バットウィング状の配光特性という。
【０００７】
従来、配光特性をバットウィング状とするための配光制御部材を備えた照明装置が提案されている（例えば、特許文献１参照）。特許文献１に記載の照明装置を、図１０を参照して説明すれば、次の通りである。
【０００８】
図１０（ａ）に示す照明装置２００は、光源２０２と、光源２０２から出射される光Ｌの配光態様を制御する配光制御部材２０３とを有している。配光制御部材２０３は、三角錐プリズム板２３１を備えており、これによって、光源２０２からの光Ｌをバットウィング状に拡散することが図られている。この三角錐プリズム板２３１は、光源２０２側を平面２３１ａ、他側の面を光拡散面２３１ｂとするように構成及び配置され、光拡散面２３１ｂは、図１０（ｂ）に示すように、隙間なく配列された複数の三角錐プリズムからなるものである。従来、このような配光制御部材として、四角錐プリズム等の他の多角錐プリズムを用いたものも知られている。
【先行技術文献】
【特許文献】
【０００９】
【特許文献１】特開２００９−２６６５２１号公報
【発明の概要】
【発明が解決しようとする課題】
【００１０】
しかしながら、照明装置において、その照明光による被照明面の照度の均一性をより優れたものとするには、バットウィング状の配光特性において、その光度角分布の分布形状をさらに精細に調整する必要がある。加えて、被照明面の照度の均一性を向上させるため、照明装置の配光特性は、光軸周り方向（図９（ａ）に示す方位角φ方向）に均一であること（すなわち、任意の方位角φについて、平面Ｐφにおける光度角分布が可能な限り等しいこと）が望ましい。
【００１１】
そして、本発明者らによる調査、検討の結果、図１０（ｂ）に示す従来の配光制御部材２０３のように、隙間なく配列された複数の多角錐プリズムを備えた配光制御部材では、このような光度角分布の調整及び方位角φ方向の均一性の達成は困難であることが分かった。
【００１２】
本発明は、上記課題に鑑み、容易かつ安価に製造可能でありながら、被照明面上の照度の均一性を向上させることが可能な配光制御部材を備えた照明装置を提供することを目的とする。
【００１３】
また、本発明は、被照明面上の照度の均一性を向上させることが可能な配光制御部材を成形するための金型の作製方法を提供することを目的とする。
【課題を解決するための手段】
【００１４】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１５】
（１）取付け位置から離れた位置にある被照明面を照明するための照明装置であって、光源部と、傾斜面を有し前記光源部からの出射光の配光を二次元的に制御するために面状に配置された複数のプリズムを含むプリズム形成面を有する配光制御部材とを備え、前記複数のプリズムは、複数の凹状のプリズムからなり、前記プリズム形成面は、前記複数の凹状のプリズムの谷部及び頂部のいずれか一方または両方に曲面を有しており、前記配光制御部材は、前記プリズム形成面が前記光源部の出射面に対向するように配置されることを特徴とする照明装置（請求項１）。
（２）取付け位置から離れた位置にある被照明面を照明するための照明装置であって、光源部と、傾斜面を有し前記光源部からの出射光の配光を二次元的に制御するために面状に配置された複数のプリズムを含むプリズム形成面を有する配光制御部材とを備え、前記複数のプリズムは、複数の凸状のプリズムからなり、前記プリズム形成面は、前記複数の凸状のプリズムの谷部または谷部及び頂部の両方に曲面を有しており、前記配光制御部材は、前記プリズム形成面が前記光源部の出射面に対向するように配置されることを特徴とする照明装置（請求項２）。
【００１６】
（１）及び（２）項に記載の照明装置によれば、配光制御部材のプリズム形成面が、複数のプリズムの谷部及び頂部のいずれか一方または両方に曲面を有することにより、バットウィング状の配光特性を実現するとともに、その特性を、被照明面上の均一な照度を達成するための理想的な分布に近づけることが可能となる。加えて、本項に記載の照明装置によれば、被照明面上の照度の、光軸回りの均一性を向上させることも可能となる。
【００１８】
また、（１）及び（２）項に記載の照明装置によれば、光源部の出射面の反対側を向くようにプリズムを配置した構成と比較して、バットウィング状の配光特性を容易に実現することが可能となる。
【００１９】
（３）（１）または（２）項に記載の照明装置において、前記プリズムは、四角錐状であることを特徴とする照明装置（請求項３）。
【００２０】
本項に記載の照明装置によれば、被照明面上でほぼ均一な照度が実現される領域を、丸みを帯びた四角形状とすることが可能であるため、四角形状の被照明面（例えば、一般的な室内空間における床面）を照明するために好適な照明装置を提供することが可能となる。
【００２１】
（４）（３）項に記載の照明装置からなる照明ユニットを複数個隣接させて配置したことを特徴とする照明装置（請求項４）。
【００２２】
本項に記載の照明装置によれば、隣接する照明ユニットからの照明光が互いに重なる部分を少なくすることができるため、比較的広い面積を有する被照明面を効率的に照明することが可能となる。
【００２３】
（５）（１）〜（４）項に記載の照明装置において、前記光源部は、導光板と、該導光板の側端面に配置された光源を含むことを特徴とする照明装置（請求項５）。
【００２４】
（６）（１）から（５）のいずれか１項に記載の照明装置が備える前記配光制御部材を作製する方法であって、前記配向制御部材を成形するための金型を作製する工程を含んでおり、前記金型を作製する工程は、金型基材に、前記複数のプリズムの傾斜面に対応する傾斜面を形成する工程と、前記金型基材に、前記複数のプリズムの谷部及び頂部のいずれか一方または両方の曲面に対応する曲面を形成する工程と、を含み、前記傾斜面を形成する工程は、刃先に一対の傾斜面を有するバイトを用いて前記金型基材の表面を切削し、前記金型基材に、複数本の直線状の溝を、隣接する前記溝間に前記金型基材の表面を残さないように形成するステップを含むことを特徴とする方法（請求項６）。
【００２５】
本項に記載の方法によれば、金型基材に、複数本の溝を形成する工程において、金型基材の表面を残して溝を形成する場合と比較して、金型基材の表面の平行度、平坦度、金型基材の表面に対するバイトの位置決め精度、及び、金型加工時間の経過に伴う表面高さの変動等の影響を受けることなく、溝深さの加工精度を向上させることが可能となり、ひいては、本項に記載の作製方法により作製された金型を用いて成形される配光制御部材において、そのプリズム形成面が有する複数のプリズムの高さを高精度に揃えることが可能となる。
【００２６】
（７）（６）項に記載の方法において、前記金型基材に傾斜面を形成する工程は、異なる２以上の方向に延びる前記複数の直線状の溝を形成するステップを含むことを特徴とする方法（請求項７）。
【００２７】
本項に記載の方法によれば、光の配光を二次元的に制御するために面状に配置された複数のプリズムを含むプリズム形成面を有する配光制御部材を成形するための金型を、容易に作製することが可能となる。
【００２８】
（８）（６）または（７）項に記載の方法において、前記バイトの刃先の先端で前記一対の傾斜面を連結する面は、曲面から構成されており、前記金型基材に曲面を形成する工程のうち、前記複数のプリズムの頂部の曲面に対応する曲面を形成するステップは、前記金型基材に傾斜面を形成する工程において、前記複数の直線状の溝の底部が曲面として形成されることにより実施されることを特徴とする方法（請求項８）。
【００２９】
本項に記載の方法によれば、傾斜面を有し、かつ複数のプリズムの頂部に曲面を有するプリズム形成面を備えた配光制御部材を成形するための金型を、容易に作製することが可能となる。
また、本項に記載の方法によれは、溝の底部が曲面として形成されることにより、この金型を用いた成形加工において、形状の転写性が向上する。
【発明の効果】
【００３１】
本発明に係る照明装置は、上記のように構成したことにより、容易かつ安価に製造可能でありながら、被照明面上の照度の均一性を向上させることが可能となる。
【００３２】
また、本発明に係る金型の作製方法は、上記のように構成したことにより、金型基材に形成される溝の深さの加工精度を向上させることが可能となり、ひいては、本項に記載の作製方法により作製された金型を用いて成形される配光制御部材において、そのプリズム形成面が有する複数のプリズムの高さを高精度に揃えることが可能となる。
【図面の簡単な説明】
【００３３】
【図１】（ａ）は、本発明の第１の実施形態における照明装置を模式的に示す側断面図、（ｂ）は、（ａ）に示す照明装置で使用される配光制御部材の一例において、そのプリズム形成面の一部を模式的に示す平面図、（ｃ）は、（ｂ）のＡ−Ａ断面図である。
【図２】四角錐プリズムを使用した配光制御部材を備えた従来の照明装置の照度特性を示す図であり、（ａ）は、この照明装置による被照明面上の照度分布を濃淡の分布として示す図、（ｂ）は、（ａ）に示す照度分布のうち、方位角０度及び４５度における照度角分布を示すグラフである。
【図３】図１に示す照明装置の照度特性を示す図であり、（ａ）は、この照明装置による被照明面上の照度分布を濃淡の分布として示す図、（ｂ）は、（ａ）に示す照度分布のうち、方位角０度及び４５度における照度角分布を示すグラフである。
【図４】本発明の第１の実施形態における照明装置で使用される配光制御部材の別の例について、そのプリズム形成面の一部を模式的に示す平面図、（ｂ）は、（ａ）のＡ−Ａ断面図である。
【図５】本発明の第１の実施形態における照明装置で使用される配光制御部材の別の例について、そのプリズム形成面の一部を模式的に示す平面図、（ｂ）は、（ａ）のＡ−Ａ断面図である。
【図６】本発明の第１の実施形態における照明装置で使用される配光制御部材の別の例について、そのプリズム形成面の一部を模式的に示す平面図である。
【図７】本発明の第１の実施形態における照明装置で使用される配光制御部材の別の例について、そのプリズム形成面の一部を模式的に示す平面図である。
【図８】本発明の第２の実施形態における金型の作製方法を示す側面図である。
【図９】一般的に照明装置の光度角分布と照度角分布の特性を示す図であり、（ａ）は照明装置の配置構成を示す図、（ｂ）は、２つの異なる配光特性に対応する光度角分布の例を示すグラフ、（ｃ）は、（ｂ）に示す２つの光度角分布にそれぞれ対応する照度角分布を示すグラフである。
【図１０】従来の照明装置の一例を示す図であり、（ａ）は、照明装置を模式的に示す側断面図、（ｂ）は、（ａ）に示す照明装置の配光制御部材を示す平面図である。
【発明を実施するための形態】
【００３４】
以下、本発明の実施の形態を添付図面に基づいて説明する。尚、添付図面において、配光制御部材及び照明装置の全体または部分を示す各図は、いずれも説明のために特徴を強調して示す模式図であって、図示された各部分の相対的な寸法は、必ずしも実際の縮尺を反映するものではない。
【００３５】
本発明の第１の実施形態における照明装置１は、図１（ａ）に示すように、導光板１２と、光源１４と、反射部材１６とを含む光源部１０を備えている。導光板１２は、メタクリル樹脂やポリカーボネート樹脂等の透明樹脂材料を成形してなる板状の導光体であり、一方の主面を出射面１２ａとし、この出射面１２ａが光源部１０の出射面となる。
【００３６】
導光板１２は、四角形状の主面を有するものであり、四方の側端面を入光面１２ｃとして、各入光面１２ｃに対向するように光源１４が配置される。光源１４は、例えば、各入光面１２ｃの長手方向に沿って配列される複数の発光ダイオードからなる。また、導光板１２の裏面１２ｂ側には、導光板１２と光源１４を覆うように、シート状の反射部材１６が配置されている。
【００３７】
光源部１０は、光源１４から各入光面１２ｃを通じて導光板１２の内部へと入射した光を、出射面１２ａと出射面１２ａとは反対側の主面（裏面）１２ｂとの間で全反射を繰返しつつ導光板１２内を伝播させ、その過程で、伝播光を出射面１２ａから均一に出射させるものである。また、導光板１２の裏面１２ｂには、裏面１２ｂに入射した光の一部を反射して、臨界角以下の入射角でもって出射面１２ａに入射させるための拡散反射手段または正反射手段が設けられているものであってもよい。
【００３８】
照明装置１は、光源部１０の出射面１２ａ側に配置される配光制御部材２０を備えている。配光制御部材２０は、所定の位置に配置したときに少なくとも光源部１０の出射面１２ａを覆う形状及びサイズに形成されており、そのプリズム形成面２０ａが光源部１０の出射面１２ａに対向するように配置されている。また、配光制御部材２０のプリズム形成面２０ａとは反対側の主面（裏面）は、平坦面２０ｂとして構成されている。
【００３９】
照明装置１において、光源部１０の出射面１２ａから出射された光は、配光制御部材２０をプリズム形成面２０ａ側から平坦面２０ｂ側へと透過し、これによって配光制御された平坦面２０ｂからの出射光が照明光として利用される。
【００４０】
ここで、配光制御部材２０は、メタクリル樹脂やポリカーボネート樹脂等の透明樹脂材料を板状に成形してなるものであり、その一方の主面が、後述する複数のプリズムが設けられたプリズム形成面２０ａとして構成される。
【００４１】
図１（ｂ）、（ｃ）に示すように、配光制御部材２０のプリズム形成面２０ａには、互いに交差して延びる複数の線状プリズム３２、３３が形成されている。線状プリズム３２は、一方向（以下、縦方向ともいう）に延び、縦方向と直交する方向（以下、横方向ともいう）に複数配列されており、線状プリズム３３は、横方向に延び、縦方向に複数配列されて形成されている。
【００４２】
ここで、線状プリズム３２は、それぞれ平坦面からなる一対の傾斜面３２ｂ、３２ｂと、一対の傾斜面３２ｂ、３２ｂを頂部で連結する凸状の曲面３２ａを有する凸状体として形成され、同様に、線状プリズム３３は、それぞれ平坦面からなる一対の傾斜面３３ｂ、３３ｂと、一対の傾斜面３３ｂ、３３ｂを頂部で連結する凸状の曲面３３ａを有する凸状体として形成されている。
【００４３】
尚、図１（ｂ）には、線状プリズム３２、３３の稜線が一点鎖線で示されている。また、図１（ｂ）、（ｃ）には、傾斜面３２ｂと曲面３２ａとの境界、傾斜面３３ｂと曲面３３ａとの境界位置に、その境界線が細線で示されている。但し、本発明において、線状プリズム３２、３３は、その傾斜面３２ｂ、３３ｂと曲面３２ａ、３３ａとが滑らかに連続し、実際には、その境界線が現れない場合を含むものである。
また、本発明は、線状プリズム３２、３３の頂部を構成する曲面３２ａ、３３ａの形状によって限定されるものではないが、例えば、図１（ｃ）に示す断面（稜線と直交する断面）の形状が円弧をなすものであってもよい。
これらの点については、後述する図４〜図７及びこれらの各図に示されるプリズム形成面についても同様である。
【００４４】
配光制御部材２０において、複数の線状プリズム３２は、隣接する線状プリズム３２との間に平坦面を置くことなく、それぞれの線状プリズム３２の対向する傾斜面３２ｂ同士が連結するように配列され、同様に、複数の線状プリズム３３は、隣接する線状プリズム３３との間に平坦面を置くことなく、それぞれの線状プリズム３３の対向する傾斜面３３ｂ同士が連結するように配列されている。
【００４５】
この構成では、隣接する２つの線状プリズム３２の稜線と、この２つの線状プリズム３２と交差して延びる隣接する２つの線状プリズム３３の稜線とで囲まれた各領域（以下、交差領域ともいう）に、四角錐状の凹部２２が形成されることになる。
【００４６】
１つの交差領域における凹部２２は、四角錐状の形状の観点から言えば、次のような形状を有している。すなわち、１つの交差領域における凹部２２は、線状プリズム３２、３３の稜線を含む仮想平面のうち、その交差領域に相当する部分を底面とし、４側面の底面側が、その交差領域を囲んで隣接する２つの線状プリズム３２の曲面３２ａ、３２ａ（のうち、その交差領域内で対向する部分）と、その交差領域を囲んで隣接する２つの線状プリズム３３の曲面３３ａ、３３ａ（のうち、その交差領域内で対向する部分）により、曲面で構成され、さらに、４側面の頂点側は、その交差領域を囲んで隣接する２つの線状プリズム３２の対向する傾斜面３２ｂ、３２ｂと、その交差領域を囲んで隣接する２つの線状プリズム３３の対向する傾斜面３３ｂ、３３ｂから構成されている。
【００４７】
ここで、本発明において、「プリズム」という用語は、凹部２２のように、傾斜面及び／または曲面により構成された凹部を含めて言うものとする。また、本発明において、「四角錐状」という用語は、凹部２２のように、四角錐の４側面の一部が曲面で構成された形状に対して用いるものとする。これは、後述する三角錐、六角錐等の他の多角錐についても同様である。また、以下の説明において、凸状の線状プリズム３２、３３の交差領域に形成された凹部２２を、単に、プリズム２２ともいう。
【００４８】
したがって、配光制御部材２０において、そのプリズム形成面２０ａには、凹部として形成された四角錐状の複数のプリズム２２が、各プリズム２２の底面の外周を構成する４辺（そのプリズム２２を形成する交差領域を囲む線状プリズム３２、３３の稜線）のそれぞれを、隣接するプリズム２２の対向する１辺と共有するように、敷き詰められて配置されているものである。
【００４９】
そして、各プリズム２２の４側面の（四角錐状の形状の観点から言えば）底面側が複数のプリズム２２の頂部を構成し、各プリズム２２の４側面の（四角錐状の形状の観点から言えば）頂点側が、複数のプリズム２２の谷部を構成するとともに、複数のプリズム２２の頂部に、曲面３２ａ、３３ａを有するものである。
【００５０】
さらに、以上のように構成された複数のプリズム２２には、横方向を向く傾斜面３２ｂ及び曲面３２ａと、縦方向を向く傾斜面３３ｂ及び曲面３３ａの、異なる２方向を向く傾斜面及び曲面が含まれており、これによって、光源部１０からの出射光の配光を二次元的に制御するものである。本発明では、このように、プリズム形成面２０ａに形成された複数のプリズムのそれぞれに、少なくとも異なる２方向を向く傾斜面及び／又は曲面等の屈折面が含まれるように、複数のプリズムを配置した態様を、面状の配置という。
【００５１】
尚、配光制御部材２０において、線状プリズム３２と線状プリズム３３は全て同一の形状を有し、線状プリズム３２は横方向に全て等しいピッチで配列され、線状プリズム３３は縦方向に全て等しいピッチで配置されており、この横方向のピッチと、縦方向のピッチは同一である。したがって、複数のプリズム２２は、全て合同であり、各プリズム２２の形状は、正方形の底面を有する四角錐状をなすものである。
【００５２】
次に、図２及び図３を参照して、照明装置１の作用効果について説明する。ここで、図２は、比較例として、従来の照明装置の照度特性を示す図であり、図３は、本実施形態における照明装置１の照度特性を示す図である。
【００５３】
ここで、図２（ａ）、図３（ａ）は、それぞれの照明装置について、被照明面上の照度分布を濃淡の分布として示す図である。各図において、その中心位置は、光軸ｑと被照明面との交点に対応し、その中心位置回りの方向は、方位角φ（図９（ａ）参照）方向に対応する。また、各方位角φについて、図上中心位置を通る直線が、光軸ｑを含む平面Ｐφ（図９（ａ）参照）と被照明面との交線であり、その直線上の濃淡の分布が、その平面Ｐφと被照明面との交線における照度角分布に対応する。
そして、図２（ｂ）、図３（ｂ）には、方位角０度（deg）及び４５度（deg）の２例について、その照度角分布のグラフが示されている。尚、図２（ｂ）、図３（ｂ）において、横軸の照度角は、図９（ａ）の配光角θに対応し、各照度角における照度は、照度角０度（deg）における照度を１とする相対強度で示されている。
【００５４】
尚、図２（ａ）、図３（ａ）では、それぞれ図２（ｂ）、図３（ｂ）との対比からも分かるように、最も淡く表された領域（以下、ハイライト領域ともいう）は最も照度が高い領域を表し、ハイライト領域の周囲に隣接して、ハイライト領域よりも濃く表現されている領域は、ハイライト領域よりも照度の小さい領域を表す。但し、図中の濃淡と照度の大小は、必ずしも図内全体にわたって（例えば、濃い領域程光度が小さいといったような）一定の関係を有するものではない。
【００５５】
また、図２（ａ）、（ｂ）に示す配光特性を有する従来の照明装置は、合同な正四角錐プリズムが隙間なく配列された、曲面を有しないプリズム形成面を有する配光制御部材を備えるものであり、その他の構成は、照明装置１と同一である。
【００５６】
図２（ａ）から分かるように、従来の照明装置では、光軸ｑ方向の照度がその周辺の照度よりも低いという形での不均一性が生じている。この不均一性は、図２（ｂ）に示す照度角分布において、方位角０度と方位角４５度のいずれの照度角分布についても、光軸ｑ方向（照度角０度）から照度角（の絶対値）が増大するに従って照度が増大し、特定の照度角（方位角０度の照度角分布では、照度角±１５度付近。方位角４５度の照度角分布では、照度角±２０度付近）でピーク値を取った後、さらに照度角（の絶対値）が増大するに従って照度が低下するといった、明瞭に双峰性を有する分布形状となっていることからも確認できる。このことは、従来の照明装置では、バットウィング状の配光特性は実現されるものの、その特性が、例えば図９（ｂ）に示すような理想的な配光特性と比較して、光軸ｑ方向の光度の相対強度が過度に低下していることを示すものである。
【００５７】
さらに、図２（ａ）から、被照明面上の照度分布には、光軸ｑ回り方向（方位角φ方向）に対して４回の回転対称性を備えた顕著な不均一性が生じていることが分かる。この不均一性は、図２（ｂ）において、方位角０度の分布形状と、方位角４５度の分布形状とが異なることに明瞭に現れている。例えば、方位角４５度の照度角分布は、方位角０度の照度角分布と比較して、照度角の絶対値が大きい方向（被照明面上の周辺方向）に広がった分布形状を有しており、照度のピーク値も増大している。
【００５８】
これに対して、本実施形態における照明装置１では、図３（ｂ）から、方位角０度の照度角分布と方位角４５度の照度角分布のいずれについても、分布形状の双峰性が改善され、被照明面の光軸ｑ方向を含む広い領域（約−２０度〜約２０度の照度角範囲）にわたってほぼ均一な照度が達成されている。このことは、本実施形態における照明装置１では、理想的な特性に近いバットウィング状の配光特性が実現されていることを示すものである。
また、図３（ｂ）において、方位角０度の照度角分布と方位角４５度の照度角分布の分布形状は、ほぼ同様の分布形状を有しており、図３（ａ）に示すハイライト領域の形状からも分かるように、照明装置１では、その被照明面上の照度の光軸ｑ回り方向（方位角φ方向）の均一性も大幅に改善されている。
【００５９】
このように、照明装置１では、その配光制御部材２０が、複数のプリズム２２の頂部に曲面３２ａ、３３ａを有するプリズム形成面２０ａを備えていることによって、バットウィング状の配光特性を実現するとともに、その特性を、被照明面上の均一な照度を達成するための理想的な分布に近づけることが可能となる。加えて、本項に記載の照明装置によれば、被照明面上の照度の、光軸回りの均一性を向上させることも可能となる。
【００６０】
ここで、図３（ａ）から分かるように、本実施形態における照明装置１の場合にも、光軸ｑ回り方向の照度の均一性に関して、４回の回転対称性を備えた不均一性は見て取れるものの、その不均一性は、比較的明るい領域（ハイライト領域とその周辺の領域）が丸みを帯びた四角形状となる程度に改善されている。
【００６１】
したがって、照明装置１は、このような配光特性を活用して、四角形状の被照明面（例えば、一般的な室内空間における床面）を照明するために好適な照明装置として使用することができる。さらに、このような照明装置１を１つの照明ユニットとし、複数の照明ユニットを隣接させて配置して全体として広い出射面を有する多ユニット型の照明装置を構成した場合、各照明ユニットからの照明光が互いに重なる部分を少なくすることができるため、比較的広い面積を有する被照明面を効率的に照明することが可能となる。
【００６２】
また、本発明者らの調査・研究により、図１０に示した従来の照明装置２００のように、配光制御部材２３１を、そのプリズム面（光拡散面２３１ｂ）を光源２０２とは反対側に向けて配置した場合（いわゆる、正プリズムシート状の配置）、光軸ｑ上に光度のピークを有する単峰性または３峰性の光度角分布となりやすく、バットウィング状の配光特性を得ることが実際には困難であることが分かった。
【００６３】
これに対して、照明装置１のように、配光制御部材２０を、プリズム形成面２０ａが光源部１０の出射面１２ａに対向するように配置した構成（所謂、逆プリズムシート状の配置）は、２峰性の光度角分布を有するバットウィング状の配光特性が容易に得られる点で、被照明面上の照度の均一性を向上させる上で、有利なものである。
【００６４】
また、配光制御部材２０のように、そのプリズム形成面２０ａの頂部を曲面３２ａ、３３ａとした構成は、プリズム形成面２０ａの頂部を鋭角なエッジとした場合と比較して、頂部自体の破損、及び、鋭角なエッジによる導光板１２の傷つき等のおそれが低減または解消する点で、有利な構成である。
【００６５】
但し、本実施形態における照明装置１において、その配光制御部材のプリズム形成面２０ａは、傾斜面を有し、かつ面状に配置された複数のプリズムの谷部及び頂部のいずれか一方または両方に曲面を有するものであれば、その光学的特性に関して図３を参照して上述したような作用効果を奏するものであり、そのプリズムの形状及び曲面の配置構成は、任意の適切な形状及び構成とすることができる。
【００６６】
例えば、照明装置１が備える配光制御部材のプリズム形成面は、図１（ｂ）に示すプリズム形成面２０ａに対して凹凸のパターンが反転した構成を備えるものであってもよい。この場合、複数のプリズム２２’（図示は省略する）は、四角錐状の凸状体からなり、各プリズム２２’の４側面の底面側が複数のプリズム２２’の谷部を構成し、各プリズム２２’の４側面の頂点側が、複数のプリズム２２の頂部を構成するとともに、複数のプリズム２２’の谷部に、凹状の曲面３２ａ’、３３ａ’（図示は省略する）を有するものである。
【００６７】
さらに、照明装置１が備える配光制御部材は、図４に示す配光制御部材５０のように、そのプリズム形成面５０ａに、四角錐状の凹部からなる複数のプリズム５１を有しており、プリズム５１の４側面の頂点側（この場合、複数のプリズム５１の谷部）に、曲面５２ｂ、５３ｂを有するものであってもよい。
【００６８】
すなわち、プリズム形成面５０ａにおいて、縦方向に延びる線状プリズム５２は、それぞれ平坦面からなるとともに頂部で直接連結される一対の傾斜面５２ａ、５２ａと、一対の傾斜面５２ａ、５２ａのそれぞれと連結される一対の凹状の曲面５２ｂ、５２ｂとを有する凸状体として形成され、同様に、横方向に延びる線状プリズム５３は、それぞれ平坦面からなるとともに頂部で直接連結される一対の傾斜面５３ａ、５３ａと、一対の傾斜面５３ａ、５３ａのそれぞれと連結される一対の凹状の曲面５３ｂ、５３ｂとを有する凸状体として形成されている。
【００６９】
この構成により、プリズム形成面５０ａには、隣接する２つの線状プリズム５２の稜線と、この２つの線状プリズム５２と交差して延びる隣接する２つの線状プリズム５３の稜線とで囲まれた交差領域に、四角錐状の凹部からなるプリズム５１が形成されることになる。プリズム形成面５０ａは、各プリズム５１の４側面の底面側が複数のプリズム５１の頂部を構成し、各プリズム５１の４側面の頂点側が、複数のプリズム５１の谷部を構成するとともに、複数のプリズム５１の谷部に、凹状の曲面５２ｂ、５３ｂを有するものである。
【００７０】
また、照明装置１が備える配光制御部材のプリズム形成面は、図４に示すプリズム形成面５０ａに対して凹凸のパターンが反転した構成を備えるものであってもよい。この場合、複数のプリズム５１’（図示は省略する）は、四角錐状の凸状体からなり、各プリズム５１’の４側面の底面側が複数のプリズム５１’の谷部を構成し、各プリズム５１’の４側面の頂点側が、複数のプリズム５１’の頂部を構成するとともに、複数のプリズム５１’の頂部に、凸状の曲面５２ｂ’、５３ｂ’（図示は省略する）を有するものである。
【００７１】
また、照明装置１が備える配光制御部材は、図５に示す配光制御部材７０のように、四角錐状の凹部からなるプリズム７１の４側面の底面側と頂点側の両方に、それぞれ曲面７２ａ、７３ａ及び７２ｃ、７３ｃを有するものであってもよい。
【００７２】
すなわち、プリズム形成面７０ａにおいて、縦方向に延びる線状プリズム７２は、それぞれ平坦面からなる一対の傾斜面７２ｂ、７２ｂと、一対の傾斜面７２ｂ、７２ｂを頂部で連結する凸状の曲面７２ａと、一対の傾斜面７２ｂ、７２ｂのそれぞれに連結される一対の凹状の曲面７２ｃ、７２ｃとを有する凸状体として形成され、同様に、横方向に延びる線状プリズム７３は、それぞれ平坦面からなる一対の傾斜面７３ｂ、７３ｂと、一対の傾斜面７３ｂ、７３ｂを頂部で連結する凸状の曲面７３ａと、一対の傾斜面７３ｂ、７３ｂのそれぞれに連結される一対の凹状の曲面７３ｃ、７３ｃとを有する凸状体として形成されている。
【００７３】
この構成により、プリズム形成面７０ａには、隣接する２つの線状プリズム７２の稜線と、この２つの線状プリズム７２と交差して延びる隣接する２つの線状プリズム７３の稜線とで囲まれた交差領域に、四角錐状の凹部からなるプリズム７１が形成されることになる。プリズム形成面７０ａは、各プリズム７１の４側面の底面側が複数のプリズム５１の頂部を構成し、各プリズム７１の４側面の頂点側が、複数のプリズム５１の谷部を構成するとともに、複数のプリズム７１の頂部に凸状の曲面７２ａ、７３ａを有し、かつ、複数のプリズム７１の谷部に凹状の曲面７２ｃ、７３ｃを有するものである。
【００７４】
また、照明装置１が備える配光制御部材のプリズム形成面は、図５に示すプリズム形成面７０ａに対して凹凸のパターンが反転した構成を備えるものであってもよい。この場合、複数のプリズム７１’（図示は省略する）は、四角錐状の凸状体からなり、各プリズム７１’の４側面の底面側が複数のプリズム７１’の谷部を構成し、各プリズム７１’の４側面の頂点側が、複数のプリズム７１’の頂部を構成するとともに、複数のプリズム７１’の頂部に、凸状の曲面７２ｃ’、７３ｃ’（図示は省略する）を有し、かつ、複数のプリズム７１’の谷部に、凹状の曲面７２ａ’、７３ａ’（図示は省略する）を有するものである。
【００７５】
さらに、照明装置１が備える配光制御部材のプリズム形成面が備える複数のプリズムの形状は、四角錐状に限定されず、任意の多角錐状のプリズムを備えるものであってもよい。
例えば、照明装置１が備える配光制御部材は、図６に示す配光制御部材８０のように、そのプリズム形成面８０ａに、三角錐状の凹部からなる複数のプリズム８１を有するものとすることができる。
【００７６】
プリズム形成面８０ａは、それぞれ異なる三方向に延びる線状プリズム８２、８３、８４を備えており、線状プリズム８２は、図１（ｂ）に示す線状プリズム３２、３３と同様に、それぞれ平坦面からなる一対の傾斜面８２ｂ、８２ｂと、一対の傾斜面８２ｂ、８２ｂを頂点で連結する凸状の曲面８２ａとを有する凸状体として形成される。同様に、線状プリズム８３は、それぞれ平坦面からなる一対の傾斜面８３ｂ、８３ｂと、一対の傾斜面８３ｂ、８３ｂを頂点で連結する凸状の曲面８３ａとを有する凸状体として形成され、線状プリズム８４は、それぞれ平坦面からなる一対の傾斜面８４ｂ、８４ｂと、一対の傾斜面８４ｂ、８４ｂを頂点で連結する凸状の曲面８４ａとを有する凸状体として形成される。
【００７７】
そして、各線状プリズム８２、８３、８４は、それぞれの稜線が全て一点で交わるにように配置されており、この配置により、各線状プリズム８２、８３、８４の稜線に囲まれた各交差領域に、三角錐状の凹部からなるプリズム８１が形成されることになる。
【００７８】
１つの交差領域に形成されるプリズム８１は、線状プリズム８２、８３、８４の稜線を含む仮想平面のうち、その交差領域に相当する部分を底面とし、３側面の底面側が、その交差領域を囲む線状プリズム８２、８３、８４の曲面８２ａ、８３ａ、８４ａ（のうち、その交差領域内に存在する部分）により、曲面で構成され、さらに、３側面の頂点側は、その交差領域を囲む線状プリズム８２、８３、８４の、その交差領域内に存在する側の傾斜面８２ｂ、８３ｂ、８４ｂから構成されている。
【００７９】
プリズム形成面８０ａは、このように、各プリズム８１の３側面の底面側が複数のプリズム８１の頂部を構成し、各プリズム８１の３側面の頂点側が、複数のプリズム８１の谷部を構成するとともに、複数のプリズム８１の頂部に、凸状の曲面８２ａ、８３ａ、８４ａを有するものである。
【００８０】
ここで、図示及び詳細な説明は省略するが、プリズム形成面が備える複数のプリズムを三角錐状とした場合にも、照明装置１が備える配光制御部材のプリズム形成面は、上述した四角錐状の場合と同様に、図６に示すプリズム形成面８０ａの凹凸のパターンを反転した構成、図４に示す構成と同様に、三角錐状の凹部であるプリズムの頂点側に曲面を有する構成並びにその凹凸のパターンを反転した構成、及び、図５に示す構成と同様に、三角錐状の凹部であるプリズムの頂点側及び底面側の両方に曲面を有する構成並びにその凹凸のパターンを反転した構成の、いずれであってもよい。
【００８１】
尚、上述したいずれの場合にも、三角錐状の複数のプリズムは、全て合同であり、各プリズムの形状は、正三角形の底面を有する三角錐状であることが好ましい。
【００８２】
また、照明装置１が備える配光制御部材は、図７に示す配光制御部材９０のように、そのプリズム形成面９０ａに、六角錐状の凹部からなる複数のプリズム９１と、三角錐状の凹部からなる複数のプリズム９５とを有するものであってもよい。
【００８３】
プリズム形成面９０ａは、図６に示すプリズム形成面８０ａと同様に、それぞれ異なる三方向に延びる線状プリズム９２、９３、９４を備えており、線状プリズム９２は、それぞれ平坦面からなる一対の傾斜面９２ｂ、９２ｂと、一対の傾斜面９２ｂ、９２ｂを頂点で連結する凸状の曲面９２ａとを有する凸状体として形成される。同様に、線状プリズム９３は、それぞれ平坦面からなる一対の傾斜面９３ｂ、９３ｂと、一対の傾斜面９３ｂ、９３ｂを頂点で連結する凸状の曲面９３ａとを有する凸状体として形成され、線状プリズム９４は、それぞれ平坦面からなる一対の傾斜面９４ｂ、９４ｂと、一対の傾斜面９４ｂ、９４ｂを頂点で連結する凸状の曲面９４ａとを有する凸状体として形成される。
【００８４】
但し、プリズム形成面９０ａは、それぞれ異なる方向に延びる各線状プリズム９２、９３、９４が、任意の２方向に延びる線状プリズム（例えば、線状プリズム９２及び線状プリズム９３）の稜線の交点と、残りの一方向の線状プリズム（例えば、線状プリズム９４）の稜線とが交わらないように配置されている点で、図６に示すプリズム形成面８０ａと異なるものである。この配置によって、隣接する２つの線状プリズム９２の稜線と、この２つの線状プリズム９２と交差して延びる隣接する２つの線状プリズム９３の稜線と、これらの線状プリズム９２、９３に交差して延びる隣接する２つの線状プリズム９４の稜線とで囲まれた各交差領域に、六角錐状の凹部からなるプリズム９１が形成され、かつ、それぞれ１つの線状プリズム９２、９３、９４で囲まれた各交差領域に、三角錐状の凹部からなるプリズム９５が形成される。
【００８５】
１つの交差領域に形成される六角錐状のプリズム９１は、線状プリズム９２、９３、９４の稜線を含む仮想平面のうち、その交差領域に相当する部分を底面とし、６側面の底面側が、その交差領域を囲んで隣接する２つの線状プリズム９２の曲面９２ａ、９２ａ（のうち、その交差領域内で対向する部分）と、その交差領域を囲んで隣接する２つの線状プリズム９３の曲面９３ａ、９３ａ（のうち、その交差領域内で対向する部分）と、その交差領域を囲んで隣接する２つの線状プリズム９４の曲面９４ａ、９４ａ（のうち、その交差領域内で対向する部分）により、曲面で構成され、さらに、６側面の頂点側は、その交差領域を囲んで隣接する２つの線状プリズム９２の対向する傾斜面９２ｂ、９２ｂと、その交差領域を囲んで隣接する２つの線状プリズム９３の対向する傾斜面９３ｂ、９３ｂと、その交差領域を囲んで隣接する２つの線状プリズム９４の対向する傾斜面９４ｂ、９４ｂと、から構成されている。
【００８６】
また、１つの交差領域に形成される三角錐状のプリズム９５は、線状プリズム９２、９３、９４の稜線を含む仮想平面のうち、その交差領域に相当する部分を底面とし、３側面の底面側が、その交差領域を囲む線状プリズム９２、９３、９４の曲面９２ａ、９３ａ、９４ａ（のうち、その交差領域内に存在する部分）により、曲面で構成され、さらに、３側面の頂点側は、その交差領域を囲む線状プリズム９２、９３、９４の、その交差領域内に存在する側の傾斜面９２ｂ、９３ｂ、９４ｂから構成されている。
【００８７】
プリズム形成面９０ａは、このように、各プリズム９１の６側面及び各プリズム９５の３側面の底面側が複数のプリズム９１、９５の頂部を構成し、各プリズム９１の６側面及び各プリズム９１の３側面の頂点側が、複数のプリズム９１、９５の谷部を構成するとともに、複数のプリズム９１、９５の頂部に、凸状の曲面９２ａ、９３ａ、９４ａを有するものである。
【００８８】
ここで、図示及び詳細な説明は省略するが、プリズム形成面が備える複数のプリズムを六角錐状及び三角錐状の混合型とした場合にも、照明装置１が備える配光制御部材のプリズム形成面は、上述した四角錐状の場合と同様に、図７に示すプリズム形成面９０ａの凹凸のパターンを反転した構成、図４に示す構成と同様に、六角錐状の凹部及び三角錐状の凹部であるプリズムの頂点側に曲面を有する構成並びにその凹凸のパターンを反転した構成、及び、図５に示す構成と同様に、六角錐状の凹部及び三角錐状の凹部であるプリズムの頂点側及び底面側の両方に曲面を有する構成並びにその凹凸のパターンを反転した構成の、いずれであってもよい。
【００８９】
尚、上述したいずれの場合にも、六角錐状の複数のプリズムは、全て合同であり、各プリズムの形状は、正六角形の底面を有する六角錐状であり、かつ、三角錐状の複数のプリズムは、全て合同であり、各プリズムの形状は、正三角形の底面を有する三角錐状であることが好ましい。
【００９０】
また、例えば配光制御部材２０、８０、９０のプリズム形成面２０ａ、８０ａ、９０ａ及びその凹凸のパターンを反転した構成を有するプリズム形成面のように、複数のプリズム２２、８１、９１、９５の底面側に曲面を設けた場合には、少なくとも一部の複数のプリズム２２、８１、９１、９５の頂部を平坦面として、プリズム２２、８１、９１、９５をそれぞれ対応する角錐台状のプリズムとするものであってもよい。
【００９１】
また、例えば、配光制御部材５０、７０のプリズム形成面５０ａ、７０ａ及びその凹凸のパターンを反転した構成を有するプリズム形成面のように、複数のプリズム５１、７１の頂点側に曲面を設けた場合には、複数のプリズム５１、７１の少なくとも一部について、隣接するプリズム５１、７１の間に、平坦面を設けるものであってもよい。
【００９２】
ここで、照明装置１が備える配光制御部材は、好ましくは、金型を用いてシート状に成形されるものであり、次に、図１（ｂ）、（ｃ）に示す配光制御部材２０を成形するための金型を例として、本発明の第２の実施形態における金型の作製方法について説明する。
【００９３】
尚、本実施形態における金型の作製方法は、その金型を用いて成形される配光制御部材２０のプリズム形成面２０ａに対応する部分の加工工程に特徴を有するものであるため、以下では、このような本実施形態の特徴部分のみについて説明する。金型を作製するためのその他の必要な工程は、配光制御部材２０のようなシート状部材を成形する金型を作製するための周知の工程と同様とすることができる。
【００９４】
本実施形態における金型の作製方法には、図８に示すように、金型基材４０に、線状プリズム３２、３３に対応する複数本の直線状の溝を形成する工程が含まれる。尚、図８は、紙面に直交する方向がプリズム形成面２０ａの縦方向、紙面の左右方向がプリズム形成面２０ａの横方向に対応し、線状プリズム３２に対応する溝４２のみを図示するものである。
【００９５】
複数本の溝４２は、バイト４５を用いて、金型基材４０の表面４１を縦方向に延びる直線状に切削加工し、次いで、バイト４５を送り方向（横方向）Bに所定の送りピッチだけ移動させて同様の切削加工を実施し、以後、この工程を繰返すことにより形成される。この際、複数の溝４２は、隣接する溝４２間に、金型基材４０の表面４１が残らないように形成される。言い換えれば、バイト４５の金型基材４０の表面４１からの切削深さ及び送りピッチは、一本の溝４２を切削する時にバイト４５の刃先が占める領域と、隣接する次の溝４２を切削する時に刃先が占める領域との間に、金型基材４０の表面４１の下方で重なる部分４６が生じるように設定されている。
【００９６】
また、溝４２の切削加工に使用されるバイト４５の刃先は、一対の傾斜面４５ｂと、刃先の先端で一対の傾斜面４５ｂを連結する曲面４５ａとで構成されており、金型基材４０に形成される溝４２は、バイト４５の刃先形状に対応する一対の傾斜面４２ｂと底部の曲面４２ａを備えるものとなる。このような溝４２の傾斜面４２ｂ及び曲面４２ａは、配光向制御部材２０の成形工程によりプリズム形成面２０ａに転写され、これによって、一対の傾斜面３２ｂと、頂部で一対の傾斜面３２ｂを連結する曲面３２ａとを有する線状プリズム３２が形成される。
【００９７】
そして、線状プリズム３３に対応する複数本の直線状の溝（図示は省略する）は、バイト４５による金型基材４０の表面４１の切削方向を横方向とし、バイト４５の送り方向を縦方向とすることによって、溝４２と同様の工程で形成される（以下、線状プリズム３３に対応する溝、並びにその傾斜面及び曲面には、それぞれ符号４３、４３ｂ、４３ａを付す）。
【００９８】
これによって、隣接する２つの線状プリズム３３の稜線に対応する溝４２の谷底線と、この２つの線状プリズム３２と交差して延びる隣接する２つの線状プリズム３３の稜線に対応する溝４３の谷底線とで囲まれた各交差領域に、プリズム２２の形状と相補的な形状を有する四角錐状の凸状体が形成され、この金型を用いた成形加工により、複数のプリズム２２を有するプリズム形成面２０ａを備えた配光制御部材２０が形成される。
【００９９】
本実施形態における金型の作製方法によれば、完成された金型のプリズム形成面２０ａに対応する部分に金型基材４０の表面４１が残存しないため、金型基材４０の表面４１の平行度、平坦度、金型基材４０の表面４１に対するバイト４５の位置決め精度、及び、金型加工時間の経過に伴う表面４１高さの変動等の影響を受けることなく、所定の深さｄを有する溝４２、４３を高精度に形成することが可能となる。ひいては、この金型を用いて成形される配光制御部材２０において、そのプリズム形成面２０ａが有する複数のプリズム２２の高さを高精度に揃えることが可能となる。
【０１００】
また、本実施形態における金型の作製方法では、切削加工に使用されるバイト４５の刃先が、一対の傾斜面４５ｂと刃先の先端で一対の傾斜面４５ｂを連結する曲面４５ａとで構成されているため、プリズム２２の傾斜面３２ｂに対応する傾斜面４２ｂと、プリズム２２の曲面３２ａに対応する曲面４２ａ、並びに、プリズム２２の傾斜面３３ｂに対応する傾斜面４３ｂと、プリズム２２の曲面３３ａに対応する曲面４３ａを、それぞれ単一の工程で形成することができる。
【０１０１】
これによって、傾斜面３２ｂ、３３ｂを有し、かつ複数のプリズム２２の頂部に曲面３２ａ、３３ａを有するプリズム形成面２０ａを備えた配光制御部材２０を成形するための金型を、容易に作製することが可能となるとともに、溝４２、４３の底部が曲面４２ａ、４３ａとして形成されることにより、この金型を用いた成形加工において、形状の転写性が向上する。
【０１０２】
このような、本実施形態における金型の作製方法は、図６に示す配光制御部材８０及び図７に示す配光制御部材９０を成形するための金型に対しても好適に適用可能であり、それぞれ線状プリズム８２、８３、８４に対応して異なる三方向に延びる直線状の溝、及び、線状プリズム９２、９３、９４に対応して異なる三方向に延びる直線状の溝を、上述した工程により金型基材４０に形成することによって、同様の効果を奏するものである。
【０１０３】
ここで、本実施形態では、金型基材４０に、複数のプリズム２２の傾斜面（例えば、３２ｂ）に対応する傾斜面（例えば、４２ｂ）を形成する工程と、金型基材４０に、複数のプリズム２２の頂部の曲面（例えば、３２ａ）を形成する工程とが、バイト４５による単一の切削加工により実施されるものとしたが、本発明に係る金型の作製方法は、複数のプリズムの傾斜面に対応する傾斜面を形成する工程に、刃先に一対の傾斜面４５ｂを有するバイト４５を用いて金型基材４０の表面を切削し、金型基材４０に、複数本の直線状の溝を、隣接する溝間に金型基材の表面を残さないように形成するステップが含まれている限り、金型基材４０に、複数のプリズムの傾斜面に対応する傾斜面を形成する工程と、複数のプリズムの谷部及び頂部のいずれか一方または両方の曲面に対応する曲面を形成する工程とを、別の工程として実施するものであってもよい。
【０１０４】
この場合には、複数のプリズムの傾斜面に対応する傾斜面を形成する工程で使用されるバイトは、一対の傾斜面を刃先の先端で連結する面が平坦面からなる刃先形状を有するものであってもよく、または、一対の傾斜面が刃先の先端で直接連結されたＶ字状の刃先形状を有するものであってもよい。
【０１０５】
尚、上述したように、配光制御部材２０、８０、９０を成形するための金型は、本実施形態における金型の作製方法により好適に作製されるものであるが、本発明の第１の実施形態における配光制御部材は、その製造方法によって限定されるものではない。例えば、配光制御部材２０、８０、９０は、本発明に係る金型の作製方法とは異なる方法により作製された金型を用いて成形されるものであってもよく、あるいは、例えば、配光制御部材２０、８０、９０の少なくともプリズム形成面２０ａ、８０ａ、９０ａは、シート状部材の表面を直接加工する等の方法により、金型を用いることなく形成されるものであってもよい。
【０１０６】
逆に、本発明の第１の実施形態における配光制御部材の上述した例のうち、配光制御部材２０、８０、９０を除いた例について、その製造工程の少なくとも一部に金型を用いた成形工程が含まれるものであってもよく、その場合、成形工程に用いられる金型を作製する方法の少なくとも一部に、本発明に係る金型の作製方法、特に、本実施形態における金型の作製方法が含まれるものであってもよい。
【０１０７】
また、上述した実施形態では、本発明に係る金型の作製方法を、面状に配置された複数のプリズム（例えば、２２）を有するプリズム形成面（例えば、２０ａ）を備えた配光制御部材（例えば、２０）を成形するための金型に対して適用した例を説明したが、本発明に係る金型の作製方法は、金型基材４０に形成される複数の直線状の溝を一方向に延びるものとすることによって、一方向に延びる線状プリズムからなる複数のプリズムを有するプリズム形成面を備えた配光制御部材を成形するための金型に対しても、同様に適用可能である。この場合でも、金型基材４０の表面４１の上述したような影響を受けることなく、所定の深さを有する溝を高精度に形成することが可能である点で、同様の作用効果を奏するものである。
【符号の説明】
【０１０８】
１：照明装置、１０：光源部、２０，５０，７０，８０，９０：配光制御部材、２０ａ，５０ａ，７０ａ，８０ａ，９０ａ：プリズム形成面、２２，５１，７１，８１，９１，９５：プリズム、３２ｂ，３３ｂ，５２ｂ，５３ｂ，７２ｂ，７３ｂ，８２ｂ，８３ｂ，８４ｂ，９２ｂ，９３ｂ，９４ｂ：傾斜面、３２ａ，３３ａ，５２ａ，５３ａ，７２ａ，７３ａ，７２ｃ，７３ｃ，８２ａ，８３ａ，８４ａ，９２ａ，９３ａ，９４ａ：曲面、４０：金型基材、４１：表面
【図１】
0005893916.tif 000002
【図４】
0005893916.tif 000003
【図５】
0005893916.tif 000004
【図６】
0005893916.tif 000005
【図７】
0005893916.tif 000006
【図８】
0005893916.tif 000007
【図９】
0005893916.tif 000008
【図１０】
0005893916.tif 000009
【図２】
0005893916.tif 000010
【図３】
0005893916.tif 000011